(57)【要約】【課題】  簡易な構成よりなることで、製造原価の低減や軽減化を可能とした容器保持装置を提供する。【解決手段】  搭載部材６の縦面６ａには、凹部７が形成されてなり且つ凹部７内に縦面６ａと同面状に配設されてなり、搭載部材６の縦面６ａには、ベース部材１０が支持されてなり、ベース部材１０の上端部１０ａに回転自在に軸支されてなり且つ搭載部材６の上面６ｂに容器支持部材１２が載置されてなる。【選択図】        図４
2005104373.tif 000002
【特許請求の範囲】
【請求項１】
搭載部材の縦面には、凹部が形成されてなり且つ該凹部内に該縦面と同面状に配設されてなり、
該搭載部材の縦面には、ベース部材が支持されてなり、該ベース部材の上端部に回転自在に軸支されてなり且つ搭載部材の上面に容器支持部材が載置されてなることを特徴とする容器保持装置。
【請求項２】
請求項１に記載の容器保持装置であって、
前記容器支持部材は、搭載部材の上面に載置可能なると共に搭載部材の縦面と同面状をなす平板状のカバーと、該カバーの内面に形成されて搭載部材の上面に載置された状態で容器の底部を収納可能なる閉ループ状の底部支持部と、前記カバーの側部に回転自在に軸支されてなると共に容器の側部を保持可能なるアーム部とより構成されてなることを特徴とする容器保持装置。
【請求項３】
請求項２に記載の容器保持装置であって、
前記アーム部は、容器の側部を保持可能なる様に上側に常時付勢されてなることを特徴とする容器保持装置。
【請求項４】
請求項１乃至請求項３の何れか１項に記載の容器保持装置であって、
前記ベース部材の上端部と容器支持部材との間には、所定の幅を有するヒンジ部材を介して連結してなり、
該ヒンジ部材には、ベース部材に対して容器支持部材が搭載部材の上面に載置する方向に付勢してなる付勢手段が介在されてなることを特徴とする容器保持装置。
【請求項５】
請求項１乃至請求項４の何れか１項に記載の容器保持装置であって、
前記ベース部材と、前記容器支持部材とには、何れか一方に設けられたストライカーと、いずれか他方に設けられたロックとより係合離脱自在に支持されてなり、ロック解除手段によりストライカーからロックが離脱できるように配設されてなることを特徴とする容器保持装置。
【発明の詳細な説明】
【技術分野】
【０００１】
この発明は、容器保持装置に関するものである。
【背景技術】
【０００２】
自動車、電車などの乗り物や家屋、劇場などの屋内家具に採用されている容器保持装置としては、例えば、シート本体のサイドカバーなどの搭載部材に設けられたベース部材と、ベース部材に対してヒンジ機構により上下に回転自在に支持された受け皿部材とを備えている（例えば、特許文献１。）。
【特許文献１】特開２００３−５４３０３号公報
【発明の開示】
【発明が解決しようとする課題】
【０００３】
しかしながら、このような従来の技術にあっては、ヒンジ機構が複雑且つ多部品より構成されてなり、製造原価の高騰、重量増加などの問題点を有する。
【０００４】
この発明は、このような従来の技術の問題点に着目してなされたものであり、簡易な構成よりなることで、製造原価の低減や軽減化を可能とした容器保持装置を提供するものである。
【課題を解決するための手段】
【０００５】
かかる従来技術を解決するために、請求項１に記載の発明は、搭載部材の縦面には、凹部が形成されてなり且つ該凹部内に該縦面と同面状に配設されてなり、該搭載部材の縦面には、ベース部材が支持されてなり、該ベース部材の上端部に回転自在に軸支されてなり且つ搭載部材の上面に容器支持部材が載置されてなることを特徴とする。
【０００６】
請求項２に記載の発明は、請求項１に記載の容器保持装置であって、前記容器支持部材は、搭載部材の上面に載置可能なると共に搭載部材の縦面と同面状をなす平板状のカバーと、該カバーの内面に形成されて搭載部材の上面に載置された状態で容器の底部を収納可能なる閉ループ状の底部支持部と、前記カバーの側部に回転自在に軸支されてなると共に容器の側部を保持可能なるアーム部とより構成されてなることを特徴とする。
【０００７】
請求項３に記載の発明は、請求項２に記載の容器保持装置であって、前記アーム部は、容器の側部を保持可能なる様に上側に常時付勢されてなることを特徴とする。
【０００８】
請求項４に記載の発明は、請求項１乃至請求項３の何れか１項に記載の容器保持装置であって、前記ベース部材の上端部と容器支持部材との間には、所定の幅を有するヒンジ部材を介して連結してなり、該ヒンジ部材には、ベース部材に対して容器支持部材が搭載部材の上面に載置する方向に付勢してなる付勢手段が介在されてなることを特徴とする。
【０００９】
請求項５に記載の発明は、請求項１乃至請求項４の何れか１項に記載の容器保持装置であって、前記ベース部材と、前記容器支持部材とには、何れか一方に設けられたストライカーと、いずれか他方に設けられたロックとより係合離脱自在に支持されてなり、ロック解除手段によりストライカーからロックが離脱できるように配設されてなることを特徴とする。
【発明の効果】
【００１０】
請求項１に記載の発明によれば、搭載部材の縦面には、凹部が形成されてなり且つ該凹部内に該縦面と同面状に配設されてなり、該搭載部材の縦面には、ベース部材が支持されてなり、該ベース部材の上端部に回転自在に軸支されてなり且つ搭載部材の上面に容器支持部材が載置されてなるので、構成が簡易となり、製造原価の低減や軽減化を可能とした。また、容器支持部材が閉じた状態で搭載部材の側面に同面状であるので、衣服を引っ掛けたりすることがない。
【００１１】
請求項２に記載の発明によれば、容器支持部材は、搭載部材の上面に載置可能なると共に搭載部材の縦面と同面状をなす平板状のカバーと、該カバーの内面に形成されて搭載部材の上面に載置された状態で容器の底部を収納可能なる閉ループ状の底部支持部と、前記カバーの側部に回転自在に軸支されてなると共に容器の側部を保持可能なるアーム部とより構成されてなるので、搭載部材の上にカバーを載置させれば、カバーの底部支持部により容器を保持でき、アーム部によって容器の側部を保持することで、容器が転倒するのを防止できる。
【００１２】
請求項３に記載の発明によれば、アーム部は、容器の側部を保持可能なる様に上側に常時付勢されてなるので、搭載部材の上面にカバーを載せれば、アーム部はすぐに持ち上がり、容器の側部を保持できるので、容器が転倒するのを防止できる。また、カバーを閉じれば、アーム部はカバー側に移動するので、カバーはベース部材に近接したコンパクトな状態にできる。
【００１３】
請求項４に記載の発明によれば、ベース部材の上端部と容器支持部材との間には、所定の幅を有するヒンジ部材を介して連結してなり、該ヒンジ部材には、ベース部材に対して容器支持部材が搭載部材の上面に載置する方向に付勢してなる付勢手段が介在されてなるので、ベース部材に対してヒンジ部材により所定の間隔を空けて容器支持部材が保持できる。容器支持部材は付勢手段により常時搭載部材の上に載置される方向に付勢されていて、セットが容易である。
【００１４】
請求項５に記載の発明によれば、ベース部材と、容器支持部材とには、何れか一方に設けられたストライカーと、いずれか他方に設けられたロックとより係合離脱自在に支持されてなり、ロック解除手段によりストライカーからロックが離脱できるように配設されてなるので、ロック解除手段を操作すれば、ロックが稼働してストライカーから外れ、ベース部材に対して容器支持部材が開成可能となる。
【発明を実施するための最良の形態】
【００１５】
簡易な構成よりなることで、製造原価の低減や軽減化を可能とした容器保持装置を提供するという目的を、搭載部材の縦面には、凹部が形成されてなり且つ該凹部内に該縦面と同面状の容器支持手段が配設されてなり、該容器支持手段は、搭載部材の縦面に支持されたベース部材と、該ベース部材の上端部より搭載部材の上面に載置される容器支持部材とが回転自在に軸支されてなることにより実現した。
【実施例１】
【００１６】
図１乃至図６は、この発明の一実施例にかかる容器保持装置を示した図面である。符号１は、容器保持装置で、シートクッション２とシートバック３とよりなる座席４のシートバック２の格納部５に出没自在の「搭載部材」であるアームレスト６に配設されてなる。
【００１７】
前記容器保持装置１は、アームレスト６の側面である縦面６ａに形成された凹部７内にアームレスト６の縦面６ａと同面状に配設されてなり、該容器支持手段１は、アームレスト６の縦面６ａに支持されたベース部材１０と、該ベース部材１０の上端部１０ａに、ヒンジ部材１１を介してアームレスト６の上面６ｂに載置される容器支持部材１２とが回転自在に軸支されてなる。
【００１８】
前記ベース部材１０は、アームレスト６の凹部７に内蔵した図示しないフレームに螺合されてなるビス１５が配されるへこみ部１６を有するプレート部材１７と、該プレート部材１７の下端部に配されてなるロック解除手段１８とよりなり、該ロック解除手段１８を操作するとロック１９が稼働して、後述するストライカー２０からロック１９が離脱できる。
【００１９】
前記ヒンジ部材１１は、前記ベース部材１０の上端部１０ａに横方向に突出してなるヒンジピン２１と、容器支持部材１２の端部１２ａに横方向に突出してなるヒンジピン２２との間に、回転自在に軸支されるように所定の幅を有する。該ヒンジ部材１１には、ベース部材１０に対して容器支持部材１２がアームレスト６の上面６ｂに載置する方向に付勢してなる「付勢手段」である巻きスプリング２３が介在されてなる。
【００２０】
前記容器支持部材１２は、アームレスト６の上面６ｂに載置可能なると共にアームレスト６の縦面６ａと同面状をなす平板状のカバー２４と、該カバー２４の内面に形成されてアームレスト６の上面６ｂに載置された状態で図示しない容器の底部を収納可能なる閉ループ状の底部支持部２５と、前記カバー２４の「側部」であるフランジ２４ａの内面に突出されてなるピン２４ｂに回転自在に軸支されてなると共に図示しない容器の側部を保持可能なるアーム部２６，２６とより構成されてなる。該アーム部２６，２６は、該ピン２４ｂに軸支される支持部２６ａと、該支持部２６ａより延在された円弧状の容器保持部２６ｂとよりなる。符号２７は、前記カバー２４のフランジ２４ａに形成されてなるストッパで、該ストッパ２７は、前記アーム部２６の傾き角度を制限している。
【００２１】
前記ストライカー２０は、前記容器支持部材１２のカバー２４に形成されていて、前記ロック１９に係合離脱自在である。
【００２２】
次に、かかる容器保持装置１の作用について説明する。
【００２３】
容器保持装置１は、アームレスト６の縦面６ａには、凹部７が形成されてなり且つ該凹部７内に該縦面６ａと同面状に配設されてなり、該容器保持装置１は、アームレスト６の縦面６ａに支持されたベース部材１０と、該ベース部材１０の上端部１０ａよりアームレスト６の上面６ｂに載置される容器支持部材１２とが回転自在に軸支されてなるので、構成が簡易となり、製造原価の低減や軽減化を可能とした。また、容器保持装置１の容器支持部材１２が閉じた状態でアームレスト６の縦面６ａに同面状であるので、衣服を引っ掛けたりすることがない。
【００２４】
容器支持部材１２は、アームレスト６の上面６ｂに載置可能なると共にアームレスト６の縦面６ａと同面状をなす平板状のカバー２４と、該カバー２４の内面に形成されてアームレスト６の上面６ｂに載置された状態で容器の底部を収納可能なる閉ループ状の底部支持部２５と、前記カバー２４の側部に回転自在に軸支されてなると共に容器の側部を保持可能なるアーム部２６，２６とより構成されてなるので、アームレスト６の上面６ｂにカバー２４を載置させれば、カバー２４の底部支持部２５により容器を保持でき、アーム部２６，２６によって容器の側部を保持することで、容器が転倒するのを防止できる。
【００２５】
アーム部２６，２６は、容器の側部を保持可能なる様に上側に常時付勢されてなるので、アームレスト６の上面６ｂにカバー２４を載せれば、アーム部２６，２６はすぐに持ち上がり、容器の側部を保持できるので、容器が転倒するのを防止できる。また、カバー２４を閉じれば、アーム部２６，２６はカバー２４側に移動するので、カバー２４はベース部材１０に近接したコンパクトな状態にできる。
【００２６】
ベース部材１０の上端部１０ａと容器支持部材１２との間には、所定の幅を有するヒンジ部材１１を介して連結してなり、該ヒンジ部材１１には、ベース部材１０に対して容器支持部材１２がアームレスト６の上面６ｂに載置する方向に付勢してなる巻きスプリング２３が介在されてなるので、ベース部材１０に対してヒンジ部材１１により所定の間隔を空けて容器支持部材１２が保持できる。容器支持部材１２は巻きスプリング２３により常時アームレスト６の上面６ｂに載置される方向に付勢されていて、セットが容易である。
【００２７】
ベース部材１０に設けられたロック１９と、容器支持部材１２に設けられたストライカー２０とが、係合離脱自在に支持されてなり、ロック解除手段１８によりストライカー２０からロック１９が離脱できるように配設されてなるので、ロック解除手段１８を操作すれば、ロック１９が稼働してストライカー２０から外れ、ベース部材１０に対して容器支持部材１２が開成可能となる。
【産業上の利用可能性】
【００２８】
容器保持装置１が装着されるもので有れば、自動車、航空機、船舶、鉄道など、あらゆる乗り物の座席に適用できる。また、家屋内外の椅子、野球場、サッカー場などの椅子、オペラ座などの観劇用椅子に適用できる。
【図面の簡単な説明】
【００２９】
【図１】この発明の一実施例に係る容器保持装置を備えた搭載部材が格納された状態の座席の斜視図。
【図２】図１の搭載部材が突出された状態の座席の斜視図。
【図３】図２の容器保持装置の拡大斜視図。
【図４】図３の容器保持装置のベース部材から容器支持部材を開成させた状態の斜視図。
【図５】図４のベース部材と容器支持部材との結合部の分解斜視図。
【図６】図４の容器支持部材へのアーム部の取付け関係を示す分解斜視図。
【符号の説明】
【００３０】
１  容器保持装置
６  「搭載部材」であるアームレスト
６ａ  アームレストの側面である縦面
６ｂ  アームレストの上面
１０  ベース部材
１０ａ  ベース部材の上端部
１１  ヒンジ部材
１２  容器支持部材
１７  プレート部材
１８  ロック解除手段
１９  ロック
２０  ストライカー
２３  「付勢手段」である巻きスプリング
２４  カバー
２４ａ  カバーの「側部」であるフランジ
２５  底部支持部
２６  アーム部
【図１】
2005104373.tif 000003
【図２】
2005104373.tif 000004
【図３】
2005104373.tif 000005
【図４】
2005104373.tif 000006
【図５】
2005104373.tif 000007
【図６】
2005104373.tif 000008